(57)【要約】【課題】過酸化水素を含有する被処理水に還元処理用の薬品を添加して過酸化水素を分解除去する際に、薬品の添加量を最適化する。【解決手段】過酸化水素濃度の計測結果に基づいて薬品の添加量を制御する。還元処理用の薬品として、例えば過酸化水素分解酵素であるカタラーゼを使用し、過酸化水素濃度の計測には、例えば、作用極である第１の電極と、対極および参照極を兼ねる第２の電極とを有し、第１の電極と第２の電極との間に直流電圧を印加したときに過酸化水素の還元によって発生する電流を検出する過酸化水素濃度センサーを使用する。【選択図】図１
2020037062.tif 000002
【特許請求の範囲】
【請求項１】
過酸化水素を含む被処理水に対して還元処理用の薬品を添加し、前記被処理水中の過酸化水素の分解除去する処理方法において、
過酸化水素濃度の計測結果に基づいて前記薬品の添加量を制御することを特徴とする処理方法。
【請求項２】
前記過酸化水素濃度は前記被処理水における過酸化水素濃度である、請求項１に記載の処理方法。
【請求項３】
前記過酸化水素濃度は、作用極である第１の電極と、対極および参照極を兼ねる第２の電極とを有するセンサーを使用し、前記第１の電極と前記第２の電極との間に直流電圧を印加したときに過酸化水素の還元によって発生する電流に基づいて決定される、請求項１または２に記載の処理方法。
【請求項４】
前記薬品は、カタラーゼを含む薬品である、請求項１乃至３のいずれか１項に記載の処理方法。
【請求項５】
過酸化水素の分解除去に使用される装置における前記被処理水の滞留時間と、前記薬品による過酸化水素の還元分解反応の反応速度定数とを使用して、前記薬品の添加量を算出し、前記添加量を制御する、請求項１乃至４のいずれか１項に記載の処理方法。
【請求項６】
前記被処理水に前記薬品を添加して過酸化水素を分解除去することにより得られる水を、さらに活性炭層に通水する、請求項１乃至５のいずれか１項に記載の処理方法。
【請求項７】
過酸化水素を含む被処理水を分解除去する処理装置であって、
過酸化水素濃度センサーと、
前記被処理水が供給される反応槽と、
前記過酸化水素濃度センサーでの計測結果に基づいて制御される添加量で、前記反応槽に還元処理用の薬品を供給する供給手段と
を備え、前記反応槽において前記薬品により前記被処理水中の過酸化水素の還元処理を行なう処理装置。
【請求項８】
前記過酸化水素濃度センサーは、前記前記被処理水における過酸化水素濃度を計測できる位置に設けられている、請求項７に記載の処理装置。
【請求項９】
前記過酸化水素濃度センサーは、作用極である第１の電極と、対極および参照極を兼ねる第２の電極とを有し、前記第１の電極と前記第２の電極との間に直流電圧を印加したときに過酸化水素の還元によって発生する電流を検出する、請求項７または８に記載の処理装置。
【請求項１０】
前記薬品は、カタラーゼを含む薬品である、請求項７乃至９のいずれか１項に記載の処理装置。
【請求項１１】
前記処理装置における前記被処理水の滞留時間と、前記薬品による過酸化水素の還元分解反応の反応速度定数とを使用して、前記薬品の添加量が算出される、請求項７乃至１０のいずれか１項に記載の処理装置。
【請求項１２】
前記反応槽の出口に接続する活性炭充填塔をさらに有する、請求項７乃至１１のいずれか１項に記載の処理装置。
【発明の詳細な説明】
【技術分野】
【０００１】
本発明は、過酸化水素含有水の処理方法および処理装置に関し、特に、還元処理用の薬品を過酸化水素含有水に添加する処理方法および処理装置に関する。
【背景技術】
【０００２】
洗浄や殺菌用途で過酸化水素が広く使用されており、洗浄や殺菌などの工程からは、過酸化水素を含む排水が排出される。過酸化水素を含む排水をそのまま外部に排出することはできず、排水中の過酸化水素を除去することが必要となる。排水には過酸化水素のほかに他の成分、例えば有機物が含まれる場合もあるが、その場合には、まず過酸化水素を除去した後に、後段の設備において有機物や窒素、フッ素などの他の成分の除去を行なうことになる。被処理水である過酸化水素含有水に含まれる過酸化水素を除去する方法としては、還元処理用の薬品を添加して過酸化水素を分解し、これによって過酸化水素を除去する方法、白金などの分解触媒が充填された分解塔に被処理水を導入して過酸化水素を分解除去する方法、活性炭による触媒的な反応を利用して過酸化水素を分解除去する方法などが知られている。
【０００３】
過酸化水素を除去するためのこれらの方法のうち、還元処理用の薬品を添加する方法には、大別すると、亜硫酸水素ナトリウム（ＮａＨＳＯ3）などの還元剤を加えて過酸化水素を還元分解する方法と、過酸化水素分解触媒を添加して不均化による過酸化水素の還元を促進する方法とがある。過酸化水素分解触媒を用いる方法の代表的なものとして、過酸化水素分解酵素であるカタラーゼを加えて過酸化水素を水と酸素に分解する方法がある。亜硫酸水素ナトリウムなどの還元剤を加える方法では、過酸化水素の量と化学量論的に等しいかそれ以上の還元剤を加える必要があって、薬品の単価は安くても薬品使用量が比較的大きくなり、被処理水中の過酸化水素濃度が高い場合にコストが高くなる。一方、カタラーゼを添加する方法は、カタラーゼが触媒として機能するので、薬品使用量を少なくすることができる。カタラーゼを添加して被処理水中の過酸化水素を分解することの例が特許文献１に記載されている。カタラーゼを添加して過酸化水素を分解する場合、比較的長い反応時間（反応槽での滞留時間）を必要とし、反応時間を長くするためには反応槽を大きくすることが好ましい。しかしながら、スペース等の関係で反応槽を大きくできない場合もある。そこで特許文献２は、分解処理の効率を高めるために、複数に区画された反応域を有する多段式の反応槽に被処理水を連続的に供給し、被処理水が最初に供給される反応域にカタラーゼを添加することを開示している。
【先行技術文献】
【特許文献】
【０００４】
【特許文献１】特開平８−１３２０６３号公報
【特許文献２】特開２００９−２６９００２号公報
【発明の概要】
【発明が解決しようとする課題】
【０００５】
特許文献１，２に示す過酸化水素分解酵素であるカタラーゼを添加して被処理水中の過酸化水素を分解する方法は、０ｍｇ／Ｌに近い極低濃度から５０ｇ／Ｌといった高濃度までの広い過酸化水素濃度範囲に適応し、広いｐＨ範囲で被処理水を処理できる優れた方法である。しかしながら、過酸化水素濃度が変動するため、被処理水中の過酸化水素濃度に応じて適切な量のカタラーゼを添加するのが難しい、という課題を有する。カタラーゼの添加量が過剰であると、ランニングコストが上昇する。一方、カタラーゼの添加量が過少であると、処理水に過酸化水素が残留して処理水質が悪化する恐れがある。亜硫酸水素ナトリウムなどの還元剤を添加する方法においても、同様の理由で、最適な添加量を決めるのが難しいという課題がある。
【０００６】
本発明の目的は、過酸化水素含有水に還元処理用の薬品を添加して過酸化水素を分解除去する際に、薬品の添加量を最適化することができる処理方法および処理装置を提供することにある。
【課題を解決するための手段】
【０００７】
本発明の過酸化水素含有水の処理方法は、過酸化水素を含む被処理水に対して還元処理用の薬品を添加し、被処理水中の過酸化水素の分解除去する処理方法において、過酸化水素濃度の計測結果に基づいて薬品の添加量を制御することを特徴とする。
【０００８】
本発明の過酸化水素含有水の処理装置は、過酸化水素を含む被処理水を分解除去する処理装置であって、過酸化水素濃度センサーと、被処理水が供給される反応槽と、過酸化水素濃度センサーでの計測結果に基づいて制御される添加量で、反応槽に還元処理用の薬品を供給する供給手段とを備え、反応槽において薬品により被処理水中の過酸化水素の還元処理を行なう。
【発明の効果】
【０００９】
本発明によれば、過酸化水素濃度の計測結果に基づいて被処理水に対する還元処理用の薬品の添加量を制御するので、還元処理用の薬品の添加量を最適化することができる。
【図面の簡単な説明】
【００１０】
【図１】本発明の実施の一形態の処理装置の構成を示すフローシートである。
【図２】別の実施形態の処理装置の構成を示すフローシートである。
【発明を実施するための形態】
【００１１】
次に、本発明の好ましい実施の形態について、図面を参照して説明する。図１は、本発明の実施の一形態の処理装置を示している。この処理装置は、過酸化水素（Ｈ2Ｏ2）を含む水を被処理水として、還元処理用の薬品を被処理水に添加することにより、過酸化水素を還元して分解し、過酸化水素が除去された処理水を得るものである。
【００１２】
被処理水を一時的に貯える原水槽１１が設けられており、原水槽１１の出口にはポンプ１３が設けられており、原水槽１１内の被処理水が配管１５を介してｐＨ調整槽１６に導かれる。ｐＨ調整槽１５には貯槽１７からｐＨ調整剤も供給される。ｐＨ調整槽１６は、被処理水のｐＨを過酸化水素の還元処理に適した値に調整するために設けられている。ｐＨ調整槽１６内の被処理水のｐＨを計測するｐＨセンサー（不図示）を設け、ｐＨセンサーの計測値に基づいてｐＨ調整槽１６へのｐＨ調整剤の供給量を制御するようにしてもよい。ｐＨ調整槽１６の出口は、配管１８を介して反応槽２１に接続している。原水槽１１に供給される被処理水のｐＨが既に還元処理に適した値である場合には、ｐＨ調整槽１６を設けなくてもよく、そのときは、配管１５に配管１８を直結して被処理水が反応槽２１に直接供給されるようにしてもよい。
【００１３】
さらに配管１５には、ポンプ１３から吐出される被処理水の少なくとも一部を原水槽１１に戻す循環配管１２が接続されている。循環配管１２は、ｐＨ調整槽１６に供給される被処理水の量を調節するためのものであるとともに、処理を停止している際にも原水槽１１内の被処理水を滞留させないようにするためのものであり、必要に応じて設けられる。循環配管１２には、被処理水中の過酸化水素濃度をオンライン計測する過酸化水素濃度計１４が設けられている。過酸化水素濃度計１４は、被処理水中の過酸化水素濃度を測定できるのであれば原水槽１１に設けてもよいが、原水槽１１への被処理水の供給によっては原水槽１１内の過酸化水素濃度は一様でない場合があり、また、配管１５上に設けてもよいが、配管１５を介してｐＨ調整槽１６に供給される被処理水の流量が多いと配管１５の配管口径も大きくなり、過酸化水素濃度計１４のメンテナンスを考慮した配管設計上の影響が大きくなることから、循環配管１２に設けるのが好ましい。前述のとおり循環配管１２は、ｐＨ調整槽１６に供給する被処理水の量を調整するために設けられるので、その流量は少なく、配管１５の配管口径も小さくなるため、過酸化水素濃度計１４の配管設計上の影響も小さくて済む。また、原水槽１１内の被処理水が循環するため、循環配管１２内の被処理水の過酸化水素濃度が一様となり、計測誤差が生じにくくなる。
【００１４】
反応槽２１では、配管１８を介して供給された被処理水に対して還元処理用の薬品すなわち過酸化水素分解剤が添加され、この薬品により被処理水中の過酸化水素が還元分解されて除去される。このようにして過酸化水素濃度が低減された水は、処理水として、反応槽２１から配管２４を介して排出される。反応槽２１には、不図示の撹拌装置が取り付けられていてもよい。反応槽２１に対して還元処理用の薬品を供給するために、水溶液の形態である還元処理用の薬品を一時的に貯える貯槽２２と、貯槽２２から薬品を反応槽２１に注入する注入ポンプ２３とが設けられている。また、配管２４を介して排出された処理水を一時的に貯える中継槽３１が設けられており、中継槽３１の出口には配管３２が接続し、配管３２には、処理水を給送するためのポンプ３３が設けられている。処理水は、配管３２を介して、例えば有機物や窒素、フッ素などを除去する設備である後段設備に送られる。
【００１５】
反応槽２１における過酸化水素の還元反応速度は、滞留時間あるいは反応時間が長いほど、過酸化水素濃度が高いほど、また還元処理用の薬品の濃度が高いほど高くなる。そこで本実施形態では、特許文献２に記載されるように、反応槽２１として、複数の（例えば２つの）区画された反応域が直列に接続した構成のものを用い、初段の反応域に対して配管１８からの被処理水と還元処理用の薬品が供給され、最終段の反応域から処理水が排出されるように構成されたものを使用することもできる。
【００１６】
本実施形態において、還元処理用の薬品（すなわち過酸化水素分解剤）としては、亜硫酸ナトリウムや亜硫酸水素ナトリウムの水溶液などの還元剤を用いることもできるが、この還元剤の消費量が多くなりがちであるので、過酸化水素分解酵素であるカタラーゼを用いることが好ましい。カタラーゼは生物界に広く一般的に存在する酵素であるが、微生物産生のカタラーゼを例えば水溶液の形態で容易に入手することができる。微生物から生産されるカタラーゼとしては、アスペルギルス（Ａｓｐｅｒｇｉｌｌｕｓ）属の微生物から生産されるカタラーゼ、サーモマイセス（Ｔｈｅｒｍｏｍｙｃｅｓ）属の微生物から生産されるカタラーゼ、ミクロコッカス（Ｍｉｃｒｏｃｏｃｃｕｓ）属の微生物から生産されるカタラーゼなどがある。これらの微生物由来のカタラーゼは、微生物の種類によって異なった性質を有することが知られている。中でもアスペルギルス属の微生物に由来するカタラーゼは、高濃度の過酸化水素に対しても失活しにくく、そのため添加量を少なくすることが可能であるので、本実施形態において還元処理用の薬品として用いるのに好ましい。本実施形態において還元処理用の薬品として使用できるカタラーゼとしては、オルガノ社製のオルソーブＥＺ−８００Ｈ（主成分：アスペルギルス属産生のカタラーゼ）などが挙げられる。
【００１７】
この処理装置では、被処理水に対する還元処理用の薬品の添加量を最適化するために、過酸化水素濃度計１４からの計測出力信号に基づいて注入ポンプ２３の動作が制御され、過酸化水素濃度計１４での計測結果に基づいて反応槽２１への還元処理用の薬品の添加量が最適量となるようにされる。処理装置は、その供給される被処理水中の過酸化水素濃度が変動する場合であっても、反応槽２１から排出される処理水中の過酸化水素濃度が所定レベル以下となるように過酸化水素の分解除去処理を行う。そのため過酸化水素濃度計１４からの計測出力信号に基づく注入ポンプ２３の動作の制御では、処理水中の過酸化水素濃度が所定レベル以下となるような制御が行なわれる。反応槽２１の容積と反応槽２１への被処理水の流量とが分かれば、反応槽２１において確保される滞留時間（反応時間）を算出される。温度が一定であるとして還元処理用の薬品による過酸化水素の分解反応の反応速度定数（あるいは反応速度式）は、薬品の種類（例えばカタラーゼを産生する微生物の菌種の違い）などによって異なり得るが、薬品の種類が定まれば一意に決まるといってよい。被処理水の過酸化水素濃度が計測結果として与えられたときに、反応槽２１での滞留時間と反応速度定数と基づいて、反応速度計算により、反応槽２１の出口での過酸化水素濃度が所定レベルとなるような薬品の添加量を算出することができる。還元処理用の薬品の実際の添加量は、安全を見込んで、ここで算出された添加量よりも多少大きな値としてもよい。図には示していないが、還元処理用の薬品の添加量を反応速度計算から算出する算出部を設け、算出部によって注入ポンプを制御してもよい。
【００１８】
次に、過酸化水素濃度計１４について説明する。過酸化水素濃度の測定法としては、過マンガン酸カリウムやヨウ素を使用した滴定法やボルタンメトリー法、化学発光検出器を用いたポストカラムＨＰＬＣ法、センサーと検出器とを用いる方法などがあるが、過酸化水素濃度計１４は、過酸化水素濃度センサーを備えて過酸化水素濃度をオンライン計測し、その計測結果に基づいて還元処理用の薬品の添加量を制御するために計測出力信号を出力するものである。オンライン計測を行なって薬品の添加量の制御のために用いられることから、過酸化水素濃度計１４に設けられる過酸化水素濃度センサーには、連続分析が可能であり、かつ、応答速度が速いことが求められる。この観点から、過酸化水素濃度センサーとしては、電流測定に基づく２電極型のセンサーを用いることが好ましい。
【００１９】
２電極型の過酸化水素濃度センサーは、例えば棒状の部材の先端に作用極である第１の電極を設け、その部材の側面に対極および参照極を兼ねる第２の電極を設け、第１の電極に比べて第２の電極の方が十分に面積が大きくなるようにしたものである。第１の電極は例えば金（Ａｕ）や白金（Ｐｔ）からなる電極であり、第２の電極は、例えば銀／塩化銀（Ａｇ／ＡｇＣｌ）電極や、特開平９−１７８７００号公報に示されるように不活性化可能な金属からなる電極である。過酸化水素濃度センサーは、過酸化水素を透過する隔膜によって測定対象の液体から隔てられていてもよく、隔膜を設ける場合には、隔膜と各電極との間は一定のイオン活量を有する内部電解液（例えば、所定濃度の塩化カリウム（ＫＣｌ）溶液）で満たされる。このような過酸化水素濃度センサーでは、第１の電極と第２の電極との間に所定の直流電圧を印加することにより、過酸化水素が電子を受け取って還元される。このときに電極間を流れる電流は過酸化水素濃度に比例するから、過酸化水素濃度計１４は、電極間に流れる電流に応じた計測出力信号を出力する。本実施形態において使用可能な過酸化水素濃度センサーとしては、例えば、ドイツ国所在のプロミネント(Prominent)社製のＰＥＲ１あるいはＰＥＲＯＸが挙げられる。
【００２０】
図１に示した構成では、被処理水を一時的に貯える原水槽１１に接続する循環配管１２に対して過酸化水素濃度計１４が接続し、循環配管１２を介して原水槽１１に循環する被処理水における過酸化水素濃度を計測している。しかしながら過酸化水素濃度計１４の設置位置はこれに限られるものではなく、また過酸化水素濃度計１４が測定対象とする水も被処理水に限定されるものではない。過酸化水素濃度に基づいて還元処理用の薬品の添加量を最適化することができるのであれば、処理装置内の任意の位置に過酸化水素濃度計１４を設けることができる。
【００２１】
図２は、本発明の別の実施形態の処理装置を示している。この処理装置は、図１に示す処理装置において、反応槽２１から排出される処理水を一時的に貯える中継槽３１の後段に活性炭充填塔４０を配置したものである。活性炭充填塔４０は、中継槽３１の出口から延びる配管３２の先端に設けられている。活性炭充填塔４０の内部には活性炭が充填されて活性炭層を形成しており、この活性炭層を通過した処理水が、活性炭充填塔４０の出口から後段設備に送られる。この処理装置では、反応槽２１の出口での処理水中の過酸化水素濃度は、活性炭充填塔４０で処理可能な程度にまで低ければよいので、具体的には、５０ｍｇ／Ｌ以下であればよいので、図１に示す処理装置に比べ、反応槽２１への還元処理用の薬品の注入量を低減することができ、ランニングコストを大幅に低減することができる。活性炭充填塔４０は、反応槽２１から排出される処理水中の過酸化水素をさらに分解除去し、後段設備に送られる処理水中の過酸化水素濃度を所定値以下とする。活性炭充填塔４０は、加圧型と開放型のいずれでもよく、また、下向流通水でも上向流通水でもよいが、過酸化水素の処理能力が比較的小さい、加圧型下向流式の活性炭充填塔の場合に、本発明はより有効である。
【符号の説明】
【００２２】
１１    原水槽
１３，３３    ポンプ
１４    過酸化水素濃度計
１６    ｐＨ調整槽
２１    反応槽
２３    注入ポンプ
３１    中継槽
４０    活性炭充填塔
【図１】
2020037062.tif 000003
【図２】
2020037062.tif 000004